(57)【特許請求の範囲】
【請求項１】
設置面に設置される発光装置であって、
発光面と、前記発光面の裏側に配置される非発光面とを有し、前記発光面より発光する面状発光部と、
第１表面と、前記第１表面の裏側に配置され、前記発光面および前記非発光面のいずれか一方と面一に設けられる第２表面とを有し、前記第１表面に電子部品を搭載するベース部材と、
前記第２表面と、前記第２表面と面一に設けられた前記発光面および前記非発光面のいずれか一方とに向かい合って設けられる第１シートと、
前記面状発光部および前記ベース部材に対して前記第１シートの反対側に配置され、前記面状発光部および前記電子部品を覆うように設けられる第２シートとを備え、
前記第１シートが設置面側となるように設置される、発光装置。
【請求項２】
前記第１シートおよび前記第２シートは、可撓性を有する、請求項１に記載の発光装置。
【請求項３】
前記面状発光部および前記ベース部材は、可撓性を有する、請求項１または２に記載の発光装置。
【請求項４】
前記電子部品は、前記面状発光部に電力供給する電源、前記面状発光部における発光を制御する制御部品、および外部との通信を行なう通信部品のうち少なくとも１つを含む、請求項１から３のいずれか１項に記載の発光装置。
【請求項５】
複数の前記面状発光部が、前記第１シートおよび前記第２シートの間に平面的に配列される、請求項１から４のいずれか１項に記載の発光装置。
【請求項６】
複数の前記面状発光部は、前記発光面が前記第２表面と面一となるように設けられる第１面状発光部と、前記非発光面が前記第２表面と面一となるように設けられる第２面状発光部とを含む、請求項５に記載の発光装置。
【請求項７】
前記面状発光部は、前記発光面が前記第２表面と面一となるように設けられ、
発光面と、前記発光面の裏側に配置される非発光面とを有し、前記発光面より発光し、前記非発光面同士が向かい合わせとなるように前記面状発光部に積層して設けられる別の面状発光部をさらに備える、請求項１から６のいずれか１項に記載の発光装置。
【発明の詳細な説明】
【技術分野】
【０００１】
この発明は、一般的には、発光装置に関し、より特定的には、設置面に設置される発光装置に関する。
【背景技術】
【０００２】
従来の発光装置に関して、たとえば、特開２００７−１４９４６５号公報には、有機ＥＬ素子からなる発光パネルを用いても美観を損なうことがないことを目的とした、照明器具が開示されている（特許文献１）。【０００３】
特許文献１に開示された照明器具は、有機ＥＬ素子から成る発光パネルと、発光パネルに駆動電圧を供給する点灯装置と、発光パネルおよび点灯装置を保持する器具本体とを備える。器具本体は、点灯装置を収納する収納部を有する。収納部は、発光パネルの発光面に対して側方に配置され、発光パネルの発光面と、収納部の前面とが略面一とされている。
【先行技術文献】
【特許文献】
【０００４】
【特許文献１】特開２００７−１４９４６５号公報
【発明の概要】
【発明が解決しようとする課題】
【０００５】
上述の特許文献１に開示されるように、有機ＥＬ等の面状発光部を用いた発光装置が知られている。このような発光装置は、面状発光部に電力供給するための電源や、面状発光部における発光を制御する制御部品、外部との通信を行なう通信部品などといった電子部品を備える。【０００６】
ここで、発光装置を意匠シート等の設置面に貼り付けて設置する場合を想定すると、上記電子部品によって生じる凹凸に起因して、発光装置および設置面の間に隙間が発生するおそれがある。これにより、発光装置を安定して設置面に設置することができないという問題が生じる。【０００７】
そこでこの発明の目的は、上記の課題を解決することであり、設置面に安定して設置することが可能な発光装置を提供することである。
【課題を解決するための手段】
【０００８】
この発明の一側面に従う発光装置は、設置面に設置される発光装置である。発光装置は、面状発光部と、ベース部材と、第１シートと、第２シートとを備える。面状発光部は、発光面と、発光面の裏側に配置される非発光面とを有し、発光面より発光する。ベース部材は、第１表面と、第１表面の裏側に配置され、発光面および非発光面のいずれか一方と面一に設けられる第２表面とを有し、第１表面に電子部品を搭載する。第１シートは、第２表面と、第２表面と面一に設けられた発光面および非発光面のいずれか一方とに向かい合って設けられる。第２シートは、面状発光部およびベース部材に対して第１シートの反対側に配置され、面状発光部および電子部品を覆うように設けられる。発光装置は、第１シートが設置面側となるように設置される。
【発明の効果】
【０００９】
この発明に従えば、設置面に安定して設置することが可能な発光装置を提供することができる。
【図面の簡単な説明】
【００１０】
【図１】この発明の実施の形態１における発光装置を示す断面図である。
【図２】図１中の面状発光部を示す断面図である。
【図３】この発明の実施の形態２における発光装置を示す断面図である。
【図４】この発明の実施の形態３における発光装置を示す断面図である。
【図５】この発明の実施の形態４における発光装置を示す断面図である。
【発明を実施するための形態】
【００１１】
この発明の実施の形態について、図面を参照して説明する。なお、以下で参照する図面では、同一またはそれに相当する部材には、同じ番号が付されている。
【００１２】
（実施の形態１）
図１は、この発明の実施の形態１における発光装置を示す断面図である。図１を参照して、本実施の形態における発光装置１０は、薄板形状を有する照明手段である。発光装置１０は、意匠シート等の設置部材５１の設置面５２に設置される。発光装置１０は、設置面５２に貼り合わされる。
【００１３】
本実施の形態では、設置面５２が湾曲面として形成されている。発光装置１０は、設置面５２の形状に沿って変形可能なように可撓性を有する。
【００１４】
発光装置１０は、複数の面状発光部２１を有する。面状発光部２１は、面状に延在する発光手段として設けられている。発光装置１０は、複数の面状発光部２１が平面的に配列されることによって、広領域で発光可能なように構成されている。
【００１５】
面状発光部２１は、発光面２１ａおよび非発光面２１ｂを有する。面状発光部２１は、発光面２１ａから発光する。非発光面２１ｂは、発光面２１ａの裏側に配置されている。発光面２１ａおよび非発光面２１ｂは、互いに平行な平面形状を有する。
【００１６】
図２は、図１中の面状発光部を示す断面図である。図２を参照して、本実施の形態では、面状発光部２１が、有機ＥＬから構成され、全体として曲げ可能なように可撓性を有するように形成されている。面状発光部２１は、発光ダイオード（ＬＥＤ）と拡散板とから構成されてもよいし、冷陰極管等を用いて構成されてもよい。
【００１７】
面状発光部２１は、透明基板７２、陽極（アノード）６５、有機層７３、陰極（カソード）６４、封止部材７１および絶縁層６６を有する。
【００１８】
透明基板７２は、面状発光部２１の発光面２１ａ側に配置されている。陽極６５、有機層７３および陰極６４は、透明基板７２上に順次積層されている。封止部材７１は、陽極６５、有機層７３および陰極６４からなる積層体を覆うように設けられている。
【００１９】
透明基板７２を構成する部材としては、可撓性を有する透明部材が用いられる。材料としては、たとえば、ポリエチレンテレフタレート（ＰＥＴ）またはポリカーボネイト（ＰＣ）等の光透過性のフィルム基板が用いられる。
【００２０】
光透過性のフィルム基板としては、他にポリイミド、ポリエチレンナフタレート（ＰＥＮ）、ポリスチレン（ＰＳ）、ポリエーテルサルフォン（ＰＥＳ）、ポリプロピレン（ＰＰ）等が用いられる。
【００２１】
陽極６５は、透明性を有する導電膜である。陽極６５を形成するためには、スパッタリング法等によって、ＩＴＯ（Indium  Tin  Oxide：インジウム錫酸化物）等が透明基板７２上に成膜される。陽極６５に用いられる他の材料としては、ポリエチレンジオキシチオフェン（ＰＥＤＯＴ）が用いられる。
【００２２】
有機層７３は、電力が供給されることによって光（可視光）を生成することが可能である。有機層７３は、単層の発光層から構成されてもよく、正孔輸送層、発光層、正孔阻止層および電子輸送層などが順次積層されることによって構成されてもよい。
【００２３】
陰極６４は、たとえば、アルミニウム（Ａｌ）である。陰極６４は、真空蒸着法等によって有機層７３を覆うように形成されている。陰極６４を所定の形状にパターニングするために、真空蒸着の際にはマスクが用いられるとよい。陰極６４の他の材料としては、フッ化リチウム（ＬｉＦ）、ＡｌとＣａとの積層、ＡｌとＬｉＦとの積層、および、ＡｌとＢａとの積層等が用いられる。
【００２４】
陰極６４と陽極６５とが短絡しないように、陰極６４と陽極６５との間には絶縁層６６が設けられている。絶縁層６６は、たとえば、スパッタリング法を用いてＳｉＯ２などが成膜された後、フォトリソグラフィ法等を用いて陽極６５と陰極６４とを互いに絶縁する箇所を覆うように所望のパターンに形成される。
【００２５】
封止部材７１は、面状発光部２１の非発光面２１ｂ側に配置されている。封止部材７１は、絶縁性を有する樹脂から形成される。封止部材７１は、有機層７３を水分等から保護するために形成される。封止部材７１は、陽極６５、有機層７３および陰極６４を透明基板７２上に封止する。なお、陽極６５の一部は、電気的な接続のために封止部材７１から露出している。
【００２６】
封止部材７１には、ＰＥＴ、ＰＥＮ、ＰＳ、ＰＥＳ、ポリイミド等のフィルムに、ＳｉＯ２、ＡＬ２Ｏ３、ＳｉＮｘ等の無機薄膜と柔軟性のあるアクリル樹脂薄膜などを層状に複数層重ね合わせることでガスバリア性を備えたものが用いられる。
【００２７】
陽極６５の封止部材７１から露出している部分（図２中の右側の部分）は、電極部６３（陽極用）を構成する。電極部６３と陽極６５とは互いに同じ材料で構成される。陰極６４の封止部材７１から露出している部分（図２中の左側の部分）は、電極部６２（陰極用）を構成する。電極部６２と陰極６４とは互いに同じ材料で構成される。電極部６３および電極部６２には、はんだ付けまたは銀ペーストを用いて配線（不図示）が取り付けられる。配線の取り付け部には、耐水性および耐候性を保つために樹脂剤が塗布されてもよい。面状発光部２１は、後述する電源３２に配線を通じて電気的に接続されている。
【００２８】
面状発光部２１の有機層７３には、電源３２から、配線（不図示）、電極部６３，６２、陽極６５および陰極６４を通じて電力が供給される。電力供給により有機層７３で生成された光は、陽極６５および透明基板７２を通じて、発光面２１ａから外部に取り出される。
【００２９】
図１を参照して、発光装置１０は、基板３１と、基板３１上に実装される電源３２とをさらに有する。本実施の形態では、基板３１が、フレキシブル配線基板から構成されており、可撓性を有する。基板３１および電源３２は、面状発光部２１に電力を供給するための電源回路ユニット３０を構成している。なお、基板３１は、硬質な配線基板から構成されてもよい。
【００３０】
基板３１は、搭載面３１ａおよび非搭載面３１ｂを有する。電源３２は、搭載面３１ａに搭載されている。非搭載面３１ｂは、搭載面３１ａの裏側に配置されている。電源３２は、搭載面３１ａから突出するように設けられている。
【００３１】
電源回路ユニット３０は、複数の面状発光部２１とともに平面的に配列されている。言い換えれば、薄板形状を有する発光装置１０を平面視した場合に、電源回路ユニット３０は、複数の面状発光部２１と重なり合わないように設けられている。電源回路ユニット３０は、面状発光部２１の側方に設けられている。
【００３２】
電源回路ユニット３０は、その非搭載面３１ｂが、面状発光部２１の発光面２１ａおよび非発光面２１ｂのいずれか一方と面一となるように設けられている。本実施の形態では、電源回路ユニット３０が、非搭載面３１ｂが面状発光部２１の発光面２１ａと面一となるように設けられている。基板３１においては、面状発光部２１の発光面２１ａとは反対側の搭載面３１ａに電源３２が搭載されている。
【００３３】
なお、本実施の形態では、基板３１が電源回路用基板である場合について説明したが、これに限られず、基板３１は、面状発光部２１の点灯、点滅、発光色または輝度などを制御する発光制御基板であってもよいし、外部との通信を行なう信号通信基板であってもよい。
【００３４】
電源３２は発熱を伴うため、基板３１の非搭載面３１ｂ側に熱伝導性の金属シートが介挿される場合がある。このような場合、電源回路ユニット３０は、金属シートの表面が面状発光部２１の発光面２１ａと面一となるように設けられる。
【００３５】
発光装置１０は、保持シート４１および封止シート４６をさらに有する。保持シート４１および封止シート４６は、それぞれ、可撓性を有する一体のシート材から形成されている。保持シート４１および封止シート４６は、樹脂製のシート材から形成されている。材料としては、たとえば、ポリエチレンテレフタレート（ＰＥＴ）、ポリカーボネイト（ＰＣ）、ポリイミド、ポリエチレンナフタレート（ＰＥＮ）、ポリスチレン（ＰＳ）、ポリエーテルサルフォン（ＰＥＳ）、ポリプロピレン（ＰＰ）等が用いられる。
【００３６】
本実施の形態では、保持シート４１および封止シート４６のうち少なくとも保持シート４１が、光透過性を有する。
【００３７】
保持シート４１および封止シート４６は、複数の面状発光部２１および電源回路ユニット３０を挟み込んだ状態で互いに重ね合わされている。保持シート４１および封止シート４６の接合には、ＯＣＡフィルム（Optical  Clear  Adhesive  Film）や透明接着剤などが用いられる。
【００３８】
保持シート４１は、基板３１の非搭載面３１ｂと、非搭載面３１ｂと面一に設けられた面状発光部２１の発光面２１ａとに向かい合って設けられている。電源回路ユニット３０および面状発光部２１は、非搭載面３１ｂおよび発光面２１ａが保持シート４１に面接触した状態で、保持シート４１により保持されている。
【００３９】
封止シート４６は、複数の面状発光部２１および電源回路ユニット３０に対して保持シート４１の反対側に配置されている。封止シート４６は、非発光面２１ｂおよび搭載面３１ａの側から、複数の面状発光部２１および電源回路ユニット３０を一体的に覆うように設けられている。封止シート４６は、保持シート４１とともに、複数の面状発光部２１および電源回路ユニット３０を封止している。
【００４０】
このように、面状発光部２１および電源回路ユニット３０が保持シート４１と封止シート４６との間に封止される構成により、面状発光部２１を個別に支持する部材を設ける必要がない。したがって、発光装置１０を薄型にしながら、面状発光部２１および電源回路ユニット３０を安定して保持することができる。
【００４１】
発光装置１０は、設置部材５１に対して、保持シート４１および封止シート４６のうち保持シート４１が設置面５２側となるように設置されている。発光装置１０は、設置部材５１に対して、保持シート４１の表面４２が設置面５２に面接触するように設置されている。面状発光部２１は、保持シート４１を介して設置部材５１に向けて発光する。
【００４２】
本実施の形態では、面状発光部２１の発光面２１ａと、電源３２を搭載しない基板３１の非搭載面３１ｂとが、面一に設けられ、これらの面と向かい合わせとなるように保持シート４１が設けられる。
【００４３】
このような構成により、保持シート４１に、電源３２に起因した凹凸を生じさせることなく、フラットな表面形状の保持シート４１を得ることができる。一方、封止シート４６の表面４７には、電源３２に起因した凹凸が生じる。そのようなフラットな表面形状を備えた保持シート４１を設置面５２側として、発光装置１０を設置することにより、発光装置１０と設置面５２との間に隙間を生じさせることなく、面状発光部２１および電源回路ユニット３０が封止された薄型の発光装置１０を、安定して設置することができる。
【００４４】
以上に説明した、この発明の実施の形態１における発光装置１０の構造についてまとめて説明すると、本実施の形態における発光装置１０は、設置面５２に設置される。発光装置１０は、面状発光部２１と、ベース部材としての基板３１と、第１シートとしての保持シート４１と、第２シートとしての封止シート４６とを備える。面状発光部２１は、発光面２１ａと、発光面２１ａの裏側に配置される非発光面２１ｂとを有し、発光面２１ａより発光する。基板３１は、第１表面としての搭載面３１ａと、搭載面３１ａの裏側に配置され、発光面２１ａおよび非発光面２１ｂのいずれか一方としての発光面２１ａと面一に設けられる第２表面としての非搭載面３１ｂとを有し、搭載面３１ａに電子部品としての電源３２を搭載する。保持シート４１は、非搭載面３１ｂと、非搭載面３１ｂと面一に設けられた発光面２１ａおよび非発光面２１ｂのいずれか一方としての発光面２１ａとに向かい合って設けられる。封止シート４６は、面状発光部２１および基板３１に対して保持シート４１の反対側に配置され、面状発光部２１および電源３２を覆うように設けられる。発光装置１０は、保持シート４１が設置面５２側となるように設置される。
【００４５】
このように構成された、この発明の実施の形態１における発光装置１０によれば、凹凸のないフラットな表面形状を備えた保持シート４１を設置面５２側として発光装置１０が設置されるため、発光装置１０を安定して設置面５２に設置することができる。また、本実施の形態では、面状発光部２１、基板３１、保持シート４１および封止シート４６が可撓性を有するため、設置面５２が湾曲面として形成される場合においても、発光装置１０を設置面５２の湾曲形状に沿って変形させながら容易に設置することができる。
【００４６】
なお、発光装置１０が設置される設置面５２は、湾曲面に限られず、平面形状を有してもよい。この場合に、保持シート４１などが可撓性を有さないシート材から形成されてもよい。
【００４７】
（実施の形態２）
図３は、この発明の実施の形態２における発光装置を示す断面図である。本実施の形態における発光装置は、実施の形態１における発光装置１０と比較して、基本的には同様の構造を備える。以下、重複する構造については、その説明を繰り返さない。
【００４８】
図３を参照して、本実施の形態では、電源回路ユニット３０が、非搭載面３１ｂが面状発光部２１の非発光面２１ｂと面一となるように設けられている。保持シート４１は、基板３１の非搭載面３１ｂと、非搭載面３１ｂと面一に設けられた面状発光部２１の非発光面２１ｂとに向かい合って設けられている。封止シート４６は、発光面２１ａおよび搭載面３１ａの側から、複数の面状発光部２１および電源回路ユニット３０を覆うように設けられている。
【００４９】
本実施の形態における発光装置は、設置部材５１に対して、保持シート４１および封止シート４６のうち保持シート４１が設置面５２側となるように設置されている。保持シート４１および封止シート４６のうち少なくとも封止シート４６が、光透過性を有する。面状発光部２１は、封止シート４６を介して、設置部材５１とは反対側の空間に向けて発光する。
【００５０】
このように構成された、この発明の実施の形態２における発光装置によれば、実施の形態１に記載の効果を同様に奏することができる。
【００５１】
（実施の形態３）
図４は、この発明の実施の形態３における発光装置を示す断面図である。本実施の形態における発光装置は、実施の形態１における発光装置１０と比較して、基本的には同様の構造を備える。以下、重複する構造については、その説明を繰り返さない。
【００５２】
図４を参照して、本実施の形態における発光装置は、複数の面状発光部２１として、面状発光部２１Ａおよび面状発光部２１Ｂを有する。
【００５３】
電源回路ユニット３０は、非搭載面３１ｂが、面状発光部２１Ａの発光面２１ａおよび面状発光部２１Ｂの非発光面２１ｂと面一となるように設けられている。保持シート４１は、基板３１の非搭載面３１ｂと、非搭載面３１ｂと面一に設けられた面状発光部２１Ａの発光面２１ａおよび面状発光部２１Ｂの非発光面２１ｂとに向かい合って設けられている。封止シート４６は、面状発光部２１Ａの非発光面２１ｂ、面状発光部２１Ｂの発光面２１ａおよび基板３１の搭載面３１ａの側から、面状発光部２１Ａ、面状発光部２１Ｂおよび電源回路ユニット３０を覆うように設けられている。
【００５４】
本実施の形態における発光装置は、設置部材５１に対して、保持シート４１および封止シート４６のうち保持シート４１が設置面５２側となるように設置されている。保持シート４１および封止シート４６の両方が、光透過性を有する。面状発光部２１Ａは、保持シート４１を介して設置部材５１に向けて発光し、面状発光部２１Ｂは、封止シート４６を介して、設置部材５１とは反対側の空間に向けて発光する。
【００５５】
このように構成された、この発明の実施の形態３における発光装置によれば、実施の形態１に記載の効果を同様に奏することができる。
【００５６】
（実施の形態４）
図５は、この発明の実施の形態４における発光装置を示す断面図である。本実施の形態における発光装置は、実施の形態１における発光装置１０と比較して、基本的には同様の構造を備える。以下、重複する構造については、その説明を繰り返さない。
【００５７】
図５を参照して、本実施の形態における発光装置は、実施の形態１における面状発光部２１に加えて、別の面状発光部２６をさらに有する。別の面状発光部２６は、面状発光部２１と同じ構造を有しており、発光面２１ａおよび非発光面２１ｂにそれぞれ対応する発光面２６ａおよび非発光面２６ｂを有する。
【００５８】
電源回路ユニット３０は、非搭載面３１ｂが、面状発光部２１の発光面２１ａと面一となるように設けられている。面状発光部２６は、面状発光部２１に積層されている。面状発光部２１および面状発光部２６の積層方向は、保持シート４１および封止シート４６が互いに重ね合わされる方向と同じ方向である。面状発光部２６は、面状発光部２６の非発光面２６ｂと面状発光部２１の非発光面２１ｂとが向かい合わせとなるように、面状発光部２１に積層されている。
【００５９】
保持シート４１は、基板３１の非搭載面３１ｂと、非搭載面３１ｂと面一に設けられた面状発光部２１の発光面２１ａとに向かい合って設けられている。封止シート４６は、面状発光部２６の発光面２６ａおよび基板３１の搭載面３１ａの側から、面状発光部２１、面状発光部２６および電源回路ユニット３０を覆うように設けられている。
【００６０】
本実施の形態における発光装置は、設置部材５１に対して、保持シート４１および封止シート４６のうち保持シート４１が設置面５２側となるように設置されている。保持シート４１および封止シート４６の両方が、光透過性を有する。面状発光部２１は、保持シート４１を介して設置部材５１に向けて発光し、面状発光部２６は、封止シート４６を介して、設置部材５１とは反対側の空間に向けて発光する。
【００６１】
このように構成された、この発明の実施の形態４における発光装置によれば、実施の形態１に記載の効果を同様に奏することができる。
【００６２】
この発明の一側面に従う発光装置は、設置面に設置される発光装置である。発光装置は、面状発光部と、ベース部材と、第１シートと、第２シートとを備える。面状発光部は、発光面と、発光面の裏側に配置される非発光面とを有し、発光面より発光する。ベース部材は、第１表面と、第１表面の裏側に配置され、発光面および非発光面のいずれか一方と面一に設けられる第２表面とを有し、第１表面に電子部品を搭載する。第１シートは、第２表面と、第２表面と面一に設けられた発光面および非発光面のいずれか一方とに向かい合って設けられる。第２シートは、面状発光部およびベース部材に対して第１シートの反対側に配置され、面状発光部および電子部品を覆うように設けられる。発光装置は、第１シートが設置面側となるように設置される。
【００６３】
このように構成された発光装置によれば、第１シートは、電子部品を搭載する第１表面の裏側に配置される第２表面と、その第２表面と面一に設けられた発光面および非発光面のいずれか一方とに向かい合って設けられるため、第１シートに、電子部品による凹凸が生じることを防止できる。発光装置は、その第１シートが設置面側となるように設置されるため、発光装置を設置面に安定して設置することができる。
【００６４】
また好ましくは、第１シートおよび第２シートは、可撓性を有する。このように構成された発光装置によれば、設置面の形状に沿って第１シートおよび第２シートを容易に変形させることができる。これにより、発光装置を設置面により安定して設置することができる。
【００６５】
また好ましくは、面状発光部およびベース部材は、可撓性を有する。このように構成された発光装置によれば、設置面の形状に沿って面状発光部およびベース部材を容易に変形させることができる。これにより、発光装置を設置面により安定して設置することができる。
【００６６】
また好ましくは、電子部品は、面状発光部に電力供給する電源、面状発光部における発光を制御する制御部品、および外部との通信を行なう通信部品のうち少なくとも１つを含む。
【００６７】
このように構成された発光装置によれば、これら電子部品による凹凸に起因して、発光装置および設置面の間に隙間が生じることを防止できる。
【００６８】
また好ましくは、複数の面状発光部が、第１シートおよび第２シートの間に平面的に配列される。
【００６９】
このように構成された発光装置によれば、平面的に配列された複数の面状発光部を備える発光装置において、発光装置を設置面に安定して設置することができる。
【００７０】
また好ましくは、複数の面状発光部は、発光面が第２表面と面一となるように設けられる第１面状発光部と、非発光面が第２表面と面一となるように設けられる第２面状発光部とを含む。
【００７１】
このように構成された発光装置によれば、両面発光が可能な発光装置において、発光装置を設置面に安定して設置することができる。
【００７２】
また好ましくは、面状発光部は、発光面が第２表面と面一となるように設けられる。発光装置は、別の面状発光部をさらに備える。その別の面状発光部は、発光面と、発光面の裏側に配置される非発光面とを有し、発光面より発光し、非発光面同士が向かい合わせとなるように面状発光部に積層して設けられる。
【００７３】
このように構成された発光装置によれば、両面発光が可能な発光装置において、発光装置を設置面に安定して設置することができる。
【００７４】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【産業上の利用可能性】
【００７５】
この発明は、主に、薄板形状を有する照明装置に適用される。
【符号の説明】
【００７６】
１０  発光装置、２１，２１Ａ，２１Ｂ，２６  面状発光部、２１ａ，２６ａ  発光面、２１ｂ，２６ｂ  非発光面、３０  電源回路ユニット、３１  基板、３１ａ  搭載面、３１ｂ  非搭載面、３２  電源、４１  保持シート、４２，４７  表面、４６  封止シート、５１  設置部材、５２  設置面、６２，６３  電極部、６４  陰極、６５  陽極、６６  絶縁層、７１  封止部材、７２  透明基板、７３  有機層。
【図１】
0006512225.tif 000002
【図２】
0006512225.tif 000003
【図３】
0006512225.tif 000004
【図４】
0006512225.tif 000005
【図５】
0006512225.tif 000006